(57)【要約】【課題】所定のサービスが利用可能な状態ではない旨の通知を、現在出力中の情報の表示又は音声を遮らないよう行うことができる通知処理装置を提供すること。【解決手段】複数のサービスの処理及び各サービスに係る処理内容を外部出力手段を介して通知する処理を行う通知処理装置は、第１のサービスの処理を行うために必要な情報が格納された記録媒体から前記情報を読み出し可能な状態であるかを判断する状態判断部と、記録媒体から情報を読み出し可能な状態ではないため第１のサービスの処理を行うことができない旨の通知を行うと判断したときに、第１のサービスとは異なる第２のサービスに係る内容を外部出力手段を介して通知中であれば、所定の条件を満たしたとき、第２のサービスに係る内容の通知を中断して、第１のサービスの処理を行うことができない旨の通知を行うよう処理する通知処理部とを備える。【選択図】図２
2013092987.tif 000002
【特許請求の範囲】
【請求項１】
複数のサービスの処理及び各サービスに係る処理内容を外部出力手段を介して通知する処理を行う通知処理装置であって、
第１のサービスの処理を行うために必要な情報が格納された記録媒体から前記情報を読み出し可能な状態であるかを判断する状態判断部と、
前記記録媒体から前記情報を読み出し可能な状態ではないため前記第１のサービスの処理を行うことができない旨の通知を行うと判断したときに、前記第１のサービスとは異なる第２のサービスに係る内容を前記外部出力手段を介して通知中であれば、所定の条件を満たしたとき、前記第２のサービスに係る内容の通知を中断して、前記第１のサービスの処理を行うことができない旨の通知を行うよう処理する通知処理部と、
を備えたことを特徴とする通知処理装置。
【請求項２】
請求項１に記載の通知処理装置であって、
前記通知処理部は、前記外部出力手段を介した通知中に当該通知の中断を受け付ける操作部に対して、前記第２のサービスに係る内容の通知を中断する操作がされたとき、前記所定の条件を満たしたと判断することを特徴とする通知処理装置。
【請求項３】
請求項２に記載の通知処理装置であって、
前記外部出力手段は、ディスプレイ及びスピーカを含み、
前記第２のサービスに係る内容の通知が、前記ディスプレイの映像表示及び前記スピーカからの音声出力によるものであれば、
前記通知処理部は、前記所定の条件を満たしたとき、前記第２のサービスに係る内容の映像表示及び音声出力を中断して、前記ディスプレイの映像表示及び前記スピーカからの音声出力による前記第１のサービスの処理を行うことができない旨の通知を行うよう処理することを特徴とする通知処理装置。
【請求項４】
請求項１又は２に記載の通知処理装置であって、
前記通知処理部は、当該通知処理装置を搭載した車両の走行速度が所定値を超えれば、前記所定の条件を満たしたと判断することを特徴とする通知処理装置。
【請求項５】
請求項４に記載の通知処理装置であって、
前記外部出力手段は、ディスプレイ及びスピーカを含み、
前記第２のサービスに係る内容の通知が、前記ディスプレイの映像表示及び前記スピーカからの音声出力によるものであれば、
前記通知処理部は、前記車両の走行速度による前記所定の条件を満たしたとき、前記第２のサービスに係る内容の映像表示及び音声出力を中断して、前記ディスプレイの映像表示及び前記スピーカからの音声出力による前記第１のサービスの処理を行うことができない旨の通知を行うよう処理することを特徴とする通知処理装置。
【請求項６】
請求項４に記載の通知処理装置であって、
前記外部出力手段は、ディスプレイ及びスピーカを含み、
前記第２のサービスに係る内容の通知が、前記ディスプレイの映像表示及び前記スピーカからの音声出力によるものであれば、
前記通知処理部は、前記車両の走行速度による前記所定の条件を満たしたとき、前記第２のサービスに係る内容の映像表示のみを中断して、前記第２のサービスに係る内容の音声出力による通知が終了後に、前記ディスプレイの映像表示及び前記スピーカからの音声出力による前記第１のサービスの処理を行うことができない旨の通知を行うよう処理することを特徴とする通知処理装置。
【発明の詳細な説明】
【技術分野】
【０００１】
本発明は、所定のサービスが利用可能な状態ではない旨の通知を行うよう処理する通知処理装置に関する。
【背景技術】
【０００２】
ＤＳＲＣ機能及びＥＴＣ（登録商標）機能を有する車載器は、ＥＴＣカード又はコンビカードが挿入されていないと判断したとき、ＥＴＣゲートへの衝突事故等を防止するため、ＥＴＣを利用できない旨の通知を行う。図３は、特許文献１に開示されたＤＳＲＣ機能及びＥＴＣ機能を有する車載器によるカード確認処理を示すフローチャートである。図３に示すように、車載器の制御部は、ＤＳＲＣカードによるＤＳＲＣの決済が終了したか否か判断する（ステップＳ４１）。なお、ＤＳＲＣの決済は、通常店舗の駐車場等の私有地内で行われる。ＤＳＲＣの決済が終了していない場合（ステップＳ４１；Ｎ）、制御部は、ＤＳＲＣの決済が終了するまで待機する。ＤＳＲＣの決済が終了した場合（ステップＳ４１；Ｙ）、制御部は、車両の速度は規定値以上であるか否か判断する（ステップＳ４２）。なお、車両の速度が規定値以上であるか否かは、例えば車速パルスによって判断することができる。
【０００３】
規定値以上でない場合（ステップＳ４２；Ｎ）、制御部は、車両の速度が規定値以上となるまで待機する。規定値以上である場合（ステップＳ４２；Ｙ）、制御部は、マップマッチしている道路は公道であるか否か判断する（ステップＳ４３）。なお、マップマッチ機能がカーナビ部にない場合や、何らかの理由でマップマッチできない場合、制御部は、ステップＳ４４に移行するとしてもよい。マップマッチできない場合とは、具体的には、カーナビ部が記憶する地図データが古くて道路データがない場合等がある。
【０００４】
マップマッチしている道路が公道でない場合（ステップＳ４３；Ｎ）、制御部は、公道になるまで待機する。マップマッチしている道路が公道である場合（ステップＳ４３；Ｙ）、制御部は、カード挿入部に挿入されているカードがコンビカードであるか否か判断する（ステップＳ４４）。コンビカードである場合（ステップＳ４４；Ｙ）、制御部は、カード確認処理を終了する。コンビカードでない場合（ステップＳ４４；Ｎ）、制御部は、ＥＴＣカード又はコンビカードへの差し替えを促す旨のアナウンスを出力する（ステップＳ４５）。なお、出力されるアナウンスには、例えば「車を停車させてＥＴＣカードに交換して下さい。」等がある。
【０００５】
制御部は、カード挿入部からカードが抜かれたか否か判断する（ステップＳ４６）。カードが抜かれた場合（ステップＳ４６；Ｙ）、制御部は、カード判別処理に移行して（ステップＳ４７）、カード確認処理を終了する。カードが抜かれていない場合（ステップＳ４６）、制御部は、ＥＴＣカードへの差し替えを促す旨のアナウンスを予め定められた回数（Ｎ回）以上出力したか否か判断する（ステップＳ４８）。Ｎ回以上アナウンスしていない場合（ステップＳ４８；Ｎ）、制御部は、ステップＳ４５に移行する。Ｎ回以上アナウンスした場合（ステップＳ４８；Ｙ）、制御部は、ステータス５のステータス情報を生成して記憶部に記憶し（ステップＳ４９）、カード確認処理を終了する。ここで、ステータス５のステータス情報とは、ＥＴＣカードへの差し替えを促す旨を示す情報であって、具体的には、「車を停止させてＥＴＣカードに交換して下さい。」との音声情報である。
【先行技術文献】
【特許文献】
【０００６】
【特許文献１】特開２０１０−５５１３２号公報
【特許文献２】特開２００８−２６９３２１号公報
【特許文献３】特開２００８−１７０２１８号公報
【発明の概要】
【発明が解決しようとする課題】
【０００７】
上記説明した車載器において図３に示したカード確認処理が行われると、ＤＳＲＣの決済終了後には常にカード判別処理が行われるため、ＥＴＣの決済が可能でない場合にはその旨の通知が行われる。図４は、ＥＴＣの決済が可能でない旨の通知（表示及び音声出力）の一例を示す図である。ここで、当該通知のタイミングが、図５に示すＤＳＲＣの決済内容が表示部に表示されている最中又は当該決済内容を音声で出力している最中であると、図６に示すように、ＥＴＣの決済が可能でない旨の通知によってＤＳＲＣの決済内容が遮られ、決済内容の音声による出力が途中で当該通知の音声出力に切り替わってしまう。このとき、ドライバ又は同乗者は、決済内容を充分に確認することができない。
【０００８】
本発明の目的は、所定のサービスが利用可能な状態ではない旨の通知を、現在出力中の情報の表示又は音声を遮らないよう行うことができる通知処理装置を提供することである。
【課題を解決するための手段】
【０００９】
本発明は、複数のサービスの処理及び各サービスに係る処理内容を外部出力手段を介して通知する処理を行う通知処理装置であって、第１のサービスの処理を行うために必要な情報が格納された記録媒体から前記情報を読み出し可能な状態であるかを判断する状態判断部と、前記記録媒体から前記情報を読み出し可能な状態ではないため前記第１のサービスの処理を行うことができない旨の通知を行うと判断したときに、前記第１のサービスとは異なる第２のサービスに係る内容を前記外部出力手段を介して通知中であれば、所定の条件を満たしたとき、前記第２のサービスに係る内容の通知を中断して、前記第１のサービスの処理を行うことができない旨の通知を行うよう処理する通知処理部と、を備えたことを特徴とする通知処理装置を提供する。
【００１０】
上記通知処理装置では、前記通知処理部は、前記外部出力手段を介した通知中に当該通知の中断を受け付ける操作部に対して、前記第２のサービスに係る内容の通知を中断する操作がされたとき、前記所定の条件を満たしたと判断する。
【００１１】
上記通知処理装置では、前記外部出力手段は、ディスプレイ及びスピーカを含み、前記第２のサービスに係る内容の通知が、前記ディスプレイの映像表示及び前記スピーカからの音声出力によるものであれば、前記通知処理部は、前記所定の条件を満たしたとき、前記第２のサービスに係る内容の映像表示及び音声出力を中断して、前記ディスプレイの映像表示及び前記スピーカからの音声出力による前記第１のサービスの処理を行うことができない旨の通知を行うよう処理する。
【００１２】
上記通知処理装置では、前記通知処理部は、当該通知処理装置を搭載した車両の走行速度が所定値を超えれば、前記所定の条件を満たしたと判断する。
【００１３】
上記通知処理装置では、前記外部出力手段は、ディスプレイ及びスピーカを含み、前記第２のサービスに係る内容の通知が、前記ディスプレイの映像表示及び前記スピーカからの音声出力によるものであれば、前記通知処理部は、前記車両の走行速度による前記所定の条件を満たしたとき、前記第２のサービスに係る内容の映像表示及び音声出力を中断して、前記ディスプレイの映像表示及び前記スピーカからの音声出力による前記第１のサービスの処理を行うことができない旨の通知を行うよう処理する。
【００１４】
上記通知処理装置では、前記外部出力手段は、ディスプレイ及びスピーカを含み、前記第２のサービスに係る内容の通知が、前記ディスプレイの映像表示及び前記スピーカからの音声出力によるものであれば、前記通知処理部は、前記車両の走行速度による前記所定の条件を満たしたとき、前記第２のサービスに係る内容の映像表示のみを中断して、前記第２のサービスに係る内容の音声出力による通知が終了後に、前記ディスプレイの映像表示及び前記スピーカからの音声出力による前記第１のサービスの処理を行うことができない旨の通知を行うよう処理する。
【発明の効果】
【００１５】
本発明に係る通知処理装置によれば、所定のサービスが利用可能な状態ではない旨の通知を、現在出力中の情報の表示又は音声を遮らないよう行うことができる。
【図面の簡単な説明】
【００１６】
【図１】ＤＳＲＣ機能及びＥＴＣ機能を有する一実施形態の車載器の内部構成を示すブロック図
【図２】図１に示した車載器が備える制御部の動作を示すフローチャート
【図３】特許文献１に開示されたＤＳＲＣ機能及びＥＴＣ機能を有する車載器によるカード確認処理を示すフローチャート
【図４】ＥＴＣの決済が可能でない旨の通知（表示及び音声出力）の一例を示す図
【図５】ＤＳＲＣの決済内容が表示されている表示部、及び当該決済内容が音声で出力されている状態を示す図
【図６】ＥＴＣの決済が可能でない旨の通知によってＤＳＲＣの決済内容が遮られた表示部、及び決済内容の音声による出力が途中で当該通知の音声出力に切り替わってしまう状態を示す図
【発明を実施するための形態】
【００１７】
以下、本発明の実施形態について、図面を参照して説明する。
【００１８】
図１は、ＤＳＲＣ機能及びＥＴＣ機能を有する一実施形態の車載器の内部構成を示すブロック図である。図１に示す車載器１００は、ＤＳＲＣ通信部１０１と、ＤＳＲＣ決済処理部１０３と、ＥＴＣ決済処理部１０５と、カードリーダ１０７と、ディスプレイ１０９と、スピーカ１１１と、入力部１１３と、制御部１１５とを備える。なお、ＤＳＲＣ（Dedicated Short Range Communication）とは、高速で大容量の双方向通信を可能とする５．８ＧＨｚ帯の狭域通信である。ＥＴＣ（Electronic Toll Collection）にもＤＳＲＣが用いられる。車載器１００は、図１に示すように、ＧＰＳ（Global Positioning System）衛星からの信号を受信して目的地までのルート等を提示するカーナビゲーション装置１１７を備えても良い。また、全ての構成要素や一部の構成要素をカーナビゲーション装置の内部に備える構成であっても良い。
【００１９】
ＤＳＲＣ通信部１０１は、路側機（「ＩＴＳスポット（登録商標）」ともいう）等とアンテナ１１９を介して無線通信する。ＤＳＲＣ決済処理部１０３は、カードリーダ１０７に挿入されているカードの情報及びＤＳＲＣ通信部１０１で授受したデータに基づき、コインパーキング等の使用料金の決済処理を行う。ＥＴＣ決済処理部１０５は、カードリーダ１０７に挿入されているカードの情報及びＤＳＲＣ通信部１０１で授受したデータに基づき、高速道路等のＥＴＣゲートを通過する際の決済処理を行う。なお、ＥＴＣ決済処理部１０５が決済処理を行うためには、カードリーダ１０７にＥＴＣカード又はコンビカード（ＥＴＣカードを兼ねたＩＣクレジットカード）が挿入されており、当該カードからＥＴＣ決済処理に必要な情報が読み出し可能な状態である必要がある。以下の説明では、当該状態を単にＥＴＣカードがカードリーダ１０７に挿入された状態とする。
【００２０】
カードリーダ１０７は、ＥＴＣカード又はコンビカード及びＩＣクレジット等のカードを挿脱可能であって、挿入されたカードに記録されている情報を読み出す。ディスプレイ１０９には、ＤＳＲＣ決済処理部１０３やＥＴＣ決済処理部１０５による決済処理の内容が表示される。また、ディスプレイ１０９には、カードリーダ１０７にＥＴＣカード又はコンビカードが挿入されていないとき、ＥＴＣ決済処理部１０５が決済処理を行うことができない旨が表示される。スピーカ１１１からは、ＤＳＲＣ決済処理部１０３やＥＴＣ決済処理部１０５による決済処理の内容を示す音声が出力される。また、スピーカ１１１からは、カードリーダ１０７にＥＴＣカード又はコンビカードが挿入されていないとき、ＥＴＣ決済処理部１０５が決済処理を行うことができない旨を示す音声が出力される。入力部１１３は、例えばディスプレイ１０９の表示面に貼り合わされたタッチパネルである。
【００２１】
制御部１１５は、状態判断部１２１と、通知処理部１２３とを有する。状態判断部１２１は、カードリーダ１０７にＥＴＣカードが挿入された状態であるかを判断する。通知処理部１２３は、ＤＳＲＣ決済処理部１０３又はＥＴＣ決済処理部１０５によって決済処理が行われた際、その決済内容をディスプレイ１０９に表示したり、決済内容を示す音声をスピーカ１１１から出力するよう処理する。さらに、通知処理部１２３は、カードリーダ１０７にＥＴＣカード又はコンビカードが挿入されていないとき、ＥＴＣ決済処理部１０５が決済処理を行うことができない旨をディスプレイ１０９に表示したり、当該旨を示す音声をスピーカ１１１から出力するよう処理する。制御部１１５の動作については、図２を参照して詳細に説明する。
【００２２】
図２は、図１に示した車載器が備える制御部の動作を示すフローチャートである。図２に示すように、制御部１１５の状態判断部１２１は、カードリーダ１０７にＥＴＣカードが挿入された状態かを判断し（ステップＳ１０１）、ＥＴＣカードが未挿入の状態であればステップＳ１０３に進む。ステップＳ１０３では、制御部１１５は、ＥＴＣカードが未挿入時に警告を行う設定が当該車載器１００において有効であるか否かを判断し、有効であればステップＳ１０５に進み、無効であればステップＳ１０１に戻る。
【００２３】
ステップＳ１０５では、制御部１１５は、ＥＴＣを利用できない旨の通知を行うと判断する。なお、ＥＴＣを利用できない旨の通知は、ディスプレイ１０９の映像表示及びスピーカ１１１からの音声出力を含む。図４は、ＥＴＣを利用できない旨の通知の一例である。次に、制御部１１５は、ＤＳＲＣ決済処理部１０３による決済内容の通知を行っている最中かを判断する（ステップＳ１０７）。図５は、ＤＳＲＣ決済処理部１０３による決済内容の通知の一例である。ステップＳ１０７において、決済内容の通知中と判断した場合はステップＳ１０９に進み、通知中でないと判断した場合はステップＳ１１３に進む。
【００２４】
ステップＳ１０９では、制御部１１５は、ユーザが入力部１１３を用いて決済内容の通知を中止するよう操作したかを判断し、当該中止操作がされた場合はステップＳ１１１に進み、されていない場合はステップＳ１１５に進む。ステップＳ１１１では、制御部１１５の通知処理部１２３は、決済内容の通知を表示及び音声出力共に中断するよう処理する。次に、制御部１１５の通知処理部１２３は、ＥＴＣを利用できない旨の通知を映像表示及び音声出力によって行うよう処理する（ステップＳ１１３）。
【００２５】
ステップＳ１１５では、制御部１１５は、本実施形態の車載器１００を搭載した車両の走行速度（車速ＶＰ）がしきい値を超えているか否かを判断し、車速ＶＰ＞しきい値であればステップＳ１１７に進み、車速ＶＰ≦しきい値であればステップＳ１０９に戻る。ステップＳ１１７では、制御部１１５の通知処理部１２３は、決済内容の通知の内、ディスプレイ１０９の表示に係る通知（以下「表示通知」という）のみを中断するよう処理する。次に、制御部１１５は、スピーカ１１１から出力されている決済内容の音声通知が終了したかを判断する（ステップＳ１２１）。決済内容の音声通知が終了すれば、制御部１１５は、ＥＴＣを利用できない旨の通知を映像出力及び音声出力によって行うよう処理する（ステップＳ１２３）。
なお、本実施形態では、ステップＳ１１７で表示通知のみを中断しているが、ステップＳ１１１のように表示通知及び音声出力を中断しても良い。この場合、ステップＳ１２１は行われず、ステップＳ１１７に続いてステップＳ１２３が行われる。
【００２６】
以上説明したように、本実施形態によれば、ＥＴＣカードが未挿入のとき、ＤＳＲＣ決済処理部１０３による決済内容の通知が行われている最中であれば、当該通知をユーザの操作に応じて中断した後に、ＥＴＣを利用できない旨の通知が行われる。また、中断の操作がなくても、車速がしきい値であればドライバはディスプレイ１０９を注視できないであろうから、決済内容の映像通知のみを中断して、ＥＴＣを利用できない旨が通知される。このとき、当該通知は、決済内容の音声通知の終了を待って行われる。このように、本実施形態によれば、ＥＴＣを利用できない旨の通知は、ＤＳＲＣ決済処理部１０３による決済内容の通知を遮らないよう行われる。
【産業上の利用可能性】
【００２７】
本発明に係る通知処理装置は、ＥＴＣを利用できない旨を他の通知を遮らないよう通知する車載器等として有用である。
【符号の説明】
【００２８】
１００  車載器
１０１  ＤＳＲＣ通信部
１０３  ＤＳＲＣ決済処理部
１０５  ＥＴＣ決済処理部
１０７  カードリーダ
１０９  ディスプレイ
１１１  スピーカ
１１３  入力部
１１５  制御部
１１７  カーナビゲーション装置
【図１】
2013092987.tif 000003
【図２】
2013092987.tif 000004
【図３】
2013092987.tif 000005
【図４】
2013092987.tif 000006
【図５】
2013092987.tif 000007
【図６】
2013092987.tif 000008